(57)【要約】【課題】天板や棚板等の板要素に特別な加工を施すことなく、背部材との間に配線空間となる隙間を形成できる家具を提供すること【解決手段】左右一対の支柱１１間にパネル１８を配置するとともに、このパネル１８の前面側に天板１４及び棚板１５，１６を配置してデスク１０が形成されている。パネル１８は、支柱１１の前面より後方に退避した位置に支持されている一方、天板１４及び棚板１５，１６の後端面１４Ａ，１５Ａ，１６Ａは、それらの左右両端側が支柱１１の前面に略突き当たる位置に配置され、これにより、天板１４等とパネル１８との間に、左右方向に沿って延びる配線用の隙間Ｓがそれぞれ形成されている。【選択図】          図１
2004261384.tif 000002
【特許請求の範囲】
【請求項１】
左右一対の支持体と、これら支持体間に配置された背部材と、前記背部材の前方に配置されて所定の作業領域又は載置領域を形成する板要素とを備えた家具において、
前記背部材は、前記支持体の前面より後方に退避した位置で当該支持体間に配置されて前記板要素との間に隙間を形成することを特徴とする家具。
【請求項２】
前記板要素の後端面は左右方向に沿って略直線状に延び、前記板要素の後端部分が左右の支持体の前面に略突き当たる位置に設けられていることを特徴とする請求項１記載の家具。
【請求項３】
前記板要素と背部材との隙間を利用してコンセントが着脱自在に配置され、当該コンセントは前記板要素の左右方向に移動可能に設けられていることを特徴とする請求項１又は２記載の家具。
【請求項４】
左右一対の支持体と、これら支持体間に配置された背部材と、前記背部材の前方に配置されて所定の作業領域又は載置領域を形成する板要素とを備え、前記背部材は、前記支持体の前面より後方に退避した位置で当該支持体間に配置されて前記板要素との間に隙間を形成するデスク又は書架を複数形成し、
前記デスク又は書架を後部対向配置及び又は左右並列配置し、
前記デスク又は書架の前記隙間を通じて各デスク又は書架間で配線の引き回しが可能に設けられていることを特徴とする家具。
【発明の詳細な説明】
【０００１】
【発明の属する技術分野】
本発明はデスクや書架等の家具に係り、更に詳しくは、天板や棚板等を含む各種の板要素に特別な加工を施すことなく背部材との間に配線空間となる隙間を形成することのできる家具に関する。
【０００２】
【従来の技術】
左右一対の支持体の間にパネルを配置するとともに、このパネルの前面側に作業用の天板や、棚板等の板要素を配置した家具が知られている。このタイプの家具としては、例えば、左右一対の支柱と、これら支柱間に配置されたパネルと、各支柱の前面に設けられたスロット穴に装着されたブラケットと、これらブラケットを用いてパネルの前面側に配置された天板や棚板とを備えたタイプのデスクが知られている。
【０００３】
【発明が解決しようとする課題】
しかしながら、このようなデスクにあっては、天板や棚板の後端が背部材の前面に略接する状態で組み立てられる構成が通常であるため、天板上にコンピュータ等の電子機器を含む電気製品を配置したときに、そのケーブルを天板の後方を通じて外部に引き回すことができないという不都合がある。
そのため、天板の後端部に部分的な切欠部を形成し、当該切欠部の空間を利用して配線を行う、という構成が採用されている。
【０００４】
ところが、天板の後端部に切欠部を形成すると、天板の製造工程が増えるばかりでなく、部分的な切欠部によって却って見栄えを損ねてしまうという不都合を招来する。しかも、切欠部は特定部位に形成されるので、これを利用した配線は、その位置が自ずと特定されてしまうことになり、天板上に載せる電気製品等の位置にも制約を伴うものとなる。また、棚板の場合にあっても、同様の不都合がある。
【０００５】
【発明の目的】
本発明は、このような不都合に着目して案出されたものであり、その目的は、天板や棚板等の板要素に特別な加工を施すことなく、背部材との間に配線空間となる隙間を形成し、且つ、配線の引き回し位置に対する自由度も拡大することのできる家具を提供することにある。
【０００６】
【課題を解決するための手段】
前記目的を達成するため、本発明は、左右一対の支持体と、これら支持体間に配置された背部材と、前記背部材の前方に配置されて所定の作業領域又は載置領域を形成する板要素とを備えた家具において、
前記背部材は、前記支持体の前面より後方に退避した位置で当該支持体間に配置されて前記板要素との間に隙間を形成する、という構成を採っている。このような構成とすれば、板要素を背部材の前面に突き当てないように配置することで、板要素に切欠部を形成する必要性を無くして配線スペースを設けることができる。
【０００７】
【発明の実施の形態】
本発明において、前記板要素の後端面は左右方向に沿って略直線状に延び、前記板要素の後端部分が左右の支持体の前面に略突き当たる位置に設けられる、という構成を採ることが好ましい。これにより、板要素の後端と背部材の前面との間に形成される隙間が左右方向に沿って一連に延びる状態で形成できることとなる。従って、配線の引き回し位置を広い領域で選択でき、板要素に載せる電気製品等の配線位置若しくは方向についての制約が回避される。
【０００８】
また、前記板要素と背部材との隙間を利用してコンセントが着脱自在に配置され、当該コンセントは前記板要素の左右方向に移動可能に設けられる、という構成も採用することができる。これにより、コンセントの一部を隙間内に位置させるようにセットするだけで、当該コンセントにプラグを差し込むことができる。また、コンセントは、一部を板要素に載せる形状に設けることが好ましく、これにより、特別な取付具を用いることなく隙間をコンセントの受容空間として配置することができる。
【０００９】
更に、本発明は、左右一対の支持体と、これら支持体間に配置された背部材と、前記背部材の前方に配置されて所定の作業領域又は載置領域を形成する板要素とを備え、前記背部材は、前記支持体の前面より後方に退避した位置で当該支持体間に配置されて前記板要素との間に隙間を形成するデスク又は書架を複数形成し、
前記デスク又は書架を後部対向配置及び又は左右並列配置し、
前記デスク又は書架の前記隙間を通じて各デスク又は書架間で配線の引き回しが可能に設けられるようにすることもできる。
【００１０】
【実施例】
以下、本発明の実施例を図面を参照しながら説明する。
【００１１】
図１には、本発明が棚板を備えたデスクに適用された実施例に係る概略斜視図が示されている。この図において、デスク１０は、支持体としての左右一対の支柱１１，１１と、これら支柱１１，１１の上端部間及び下端部よりもやや上方位置間を相互に連結する上部連結フレーム１２及び下部連結フレーム１３と、支柱１１の前面側の所定高さ位置に設けられた板要素としての天板１４と、この天板１４の上方に配置された上下二段の板要素としての棚板１５及び棚板１６と、上部連結フレーム１２から天板１４の位置より若干下方位置までの領域において、前記支柱１１，１１間に配置された背部材としてのパネル１８とを備えて構成されている。
【００１２】
前記支柱１１は、略中空の角パイプ状をなし、その前後各面に、上下方向に沿って延びるスロット穴１１Ａが形成され、このスロット穴１１Ａを利用して前記天板１４の後部と棚板１５，１６が支持されるようになっている。また、支柱１１の下端部には、床面に沿う水平脚２０，２０が形成され、これにより、前記上下の各連結フレーム１２，１３で各支柱１１を連結したときに自立可能となる。
【００１３】
前記天板１４は平面視略方形状をなし、前部下面側において、左右二箇所位置が脚柱２２，２２によって支持されている一方、後部下面側の左右二箇所がブラケット２３，２３によって支持されている。この天板１４の後端面１４Ａは、左右方向に沿って直線状に延び、当該後端面１４Ａの左右両端側が支柱１１の前面に略突き当たる状態でブラケット２３，２３上に支持されている。なお、ブラケット２３は、後端部に設けられた図示しないフックを支柱１１のスロット穴１１Ａに引っ掛けて当該支柱に支持される公知の構造となっている。
【００１４】
前記棚板１５，１６は、支柱１１のスロット穴１１Ａに引っ掛けて支持された各一対をなす公知のブラケット２４，２５を介してそれぞれ支持されている。各棚板１５，１６は、平面視略方形状をなし、それらの後端面１５Ａ，１６Ａも天板１４と同様に、左右両端側が支柱１１の前面に略突き当たる状態でブラケット２４，２５にそれぞれ支持されている。
【００１５】
前記パネル１８は、上部連結フレーム１２の直下と、下部連結フレーム１３の上方において、支柱１１，１１間に掛け渡された角パイプ状の横架材３０，３１（図２参照）にそれぞれ支持されている。この横架材３０，３１の前後方向幅（図２中左右方向幅）は、支柱１１の前後方向幅の略半分程度とされている。従って、パネル１８を横架材３０，３１で支持したときに、当該パネル１８の前面が支柱１１の前面よりも後方に退避した位置をとり、天板１４，棚板１５，１６の各後端１４Ａ，１５Ａ，１６Ａとの間に隙間Ｓがそれぞれ形成されることとなる。なお、横架材３０，３１は、ここでは詳細構造を省略しているが、それらの長手方向両端側にフックを備えており、当該フックが支柱１１の後面に形成されたスロット穴に引っ掛けられるようになっている。そして、パネル１８は、横架材３０，３１の前面に係り合うような裏面構造を備え、これにより、パネル１８が支柱１１間に配置される。
【００１６】
前記天板１４の後端側となる隙間Ｓ内には、コンセントＣが配置されている。このコンセントＣは、図４に示されるように、被受容部Ｃ１と、当該被受容部Ｃ１に連なる差込口形成部Ｃ２とからなる。被受容部Ｃ１の前後方向幅は、隙間Ｓの前後幅に略対応するかそれより僅かに小さく設けられており、これにより、コンセントＣを上方より隙間Ｓ内に落とし込みできるようになっている。なお、コンセントＣは情報コンセントであってもよい。また、差込口形成部Ｃ２は、被受容部Ｃ１に対して略直交する方向に向けられており、その下面側が天板１４の後部上面に載るようになっている。従って、コンセントＣを隙間Ｓ内に配置したときに、当該コンセントＣが天板１４の後部上面側に常に安定して保持され、また、必要に応じて、隙間Ｓの左右方向に沿ってスライド移動可能となる。ここで、天板１４上に載せられる電気製品Ａを電気的に接続する場合には、電気製品ＡのプラグＰをコンセントＣに差し込めばよいことになり、電気製品Ａの位置に応じて、コンセントＣの位置を左右方向に調整することもできる。なお、図４中、符号３３は、コンセントＣから導出したケーブルを示す。
【００１７】
コンセントＣを利用せずに配線を行う場合には、図５に示されるように、電気製品Ａのケーブルを隙間Ｓ内に落とし込むようにして天板１４下に引き回すことができ、更に、電気製品Ａを棚板１５、１６に載せて電気的接続が必要なときは、当該棚板１５，１６の後部隙間Ｓからケーブルを下方に導出させればよい。
【００１８】
従って、このような実施例によれば、天板１４、棚板１５，１６の後端側において、それらの左右方向略全領域に隙間Ｓが形成される構成となるため、天板１４等に一切の加工を施すことなく隙間Ｓを利用して所用の配線を行うことができる、という効果を得る。また、コンセントＣは、天板１４や棚板１５，１６の後部に着脱自在となる状態で、しかも、左右方向にスライド移動可能となる状態で配置することができるため、これに接続される電気製品のコードが短い場合でも、コンセントＣの位置を調整することで難なく対応することができる。また、コンセントＣを配置するに際し、特別な固定具等を必要とすることもなく、従って、位置変更の簡便性も付与することができる。
【００１９】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、材料、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２０】
例えば、前記実施例では、デスク１０が単独の場合について図示、説明したが、図７及び図８に示されるように、一対のデスク１０を背中合わせに配置して利用可能とし、各デスク１０の天板１４に載せられた電気製品Ａ，Ａを相互に接続するように構成することもできる。この構成では、各電気製品Ａ，Ａ間を接続するケーブルは、それぞれのデスク１０の後部隙間Ｓを通り、パネル１８の下部側を支持する横架材３１の下部を通過させるように引き回せばよい。また、このようなデスク１０，１０の組み合わせを一単位として、横方向に増設することもできる。このような増設による場合には、前後の支柱１１間を通して配線の引き回しを多方向に亘って行うことが可能となる。なお、図７及び図８のデスクの配置においては、各デスクがセパレートタイプとして示されているが、各デスク１０の支柱１１を相互に連結して一体型とすることもできる。更に、本発明は、デスクに限らず、書架等、板要素を備えた家具一般に適用することができる。
【００２１】
【発明の効果】
以上説明したように、本発明によれば、家具の背部材が左右一対の支持体の前面より後方に退避した位置に設けられて当該背部材の前面側に位置する板要素との間に隙間を形成する構成としたから、板要素に切欠部を設けることなく配線用の隙間を形成することができる。
【００２２】
また、板要素の後端面は左右方向に沿って直線状に延びる形状とする一方、当該板要素の後端部分が支持体の前面に略突き当たるように設けられているから、前記隙間が左右方向に沿って一連に延びる状態で形成されることとなる。そのため、配線の引き回し位置の自由度が拡大でき、板要素に載せる電気製品の配線位置若しくは方向についての制約もない。
【００２３】
更に、前記隙間にコンセントが着脱自在に配置され、且つ、板要素の左右方向に沿って移動可能に設けられているから、特別な取付具を用いることなく隙間を受容空間としてコンセントの配置が行えるとともに、左右方向の位置調整によって、電気製品とのレイアウト変更にも対応することができる。
【００２４】
また、複数のデスク又は書架を前後又は左右に配置した状態で、前記隙間を通じた配線の引き回しが可能となるため、ＬＡＮケーブル等、各デスクに跨る配線を必要とする場合の作業性を良好に向上させることができる。
【図面の簡単な説明】
【図１】実施例に係るデスクの概略斜視図。
【図２】図１の左側面図。
【図３】図１の平面図。
【図４】図１のＡ−Ａ線に沿う拡大断面図。
【図５】図１のＢ−Ｂ線に沿う拡大断面図。
【図６】図１のＣ−Ｃ線に沿う拡大断面図。
【図７】変形例を示すデスクの概略斜視図。
【図８】図７の左側面図。
【符号の説明】
１０  デスク（家具）
１１  支柱（支持体）
１４  天板（板要素）
１４Ａ  後端面
１５  棚板（板要素）
１５Ａ  後端面
１６  棚板（板要素）
１６Ａ  後端面
１８  パネル（背部材）
Ｃ  コンセント
Ｓ  隙間
【図１】
2004261384.tif 000003
【図２】
2004261384.tif 000004
【図３】
2004261384.tif 000005
【図４】
2004261384.tif 000006
【図５】
2004261384.tif 000007
【図６】
2004261384.tif 000008
【図７】
2004261384.tif 000009
【図８】
2004261384.tif 000010